(57)【要約】      （修正有）【課題】商品陳列棚上に置いて使用する商品陳列用具であって、商品の情報等を印刷したカードを取り付けて使用することを目的とするもので、カードに印刷された表示内容が明瞭に見得る位置であって、カードの取り付けや交換が簡単に行ない得るようにする。【解決手段】商品陳列用具の商品等の表示部分の構成を少なくとも垂直方向に伸びる側板と、側板の上側端部より斜め前方および下方に伸びる前面板とにて構成し、前面板の下端部より表面側に前面板と共にＵ字状をなすように上方に伸びる保持部を一体に形成したもので、この保持部にて商品情報等を印刷したカードを保持するようにした。【選択図】図１
0003125485.tif 000002
【実用新案登録請求の範囲】
【請求項１】
商品陳列棚の先端部分に設置して用いる商品陳列用具で、上下方向に伸びる側板と、前記側板の上側端部より斜め前方および下方に伸びる前面板とよりなり、前記前面板と側板との間に前記陳列棚の先端に設けられた商品落下防止用の板又は商品落下防止用の網を挟むように構成した保持用突出部を備え、更に、前記前面板の下側端部の表面にＵ字状をなす保持部を一体に形成したことを特徴とする商品陳列用具。
【請求項２】
前記Ｕ字状保持部にその開口部分をほぼ塞ぐように凸部を形成したことを特徴とする請求項１の商品陳列用具。
【請求項３】
前記前面板が前方に凸形状の曲面をなすことを特徴とする請求項１又は２の商品陳列用具。
【請求項４】
前記前面板が傾斜した平面であることを特徴とする請求項１の商品陳列用具。
【請求項５】
前記前面板の上側端部よりその表面側に伸びるＵ字状保持部を設けたことを特徴とする請求項４の商品陳列用具。
【考案の詳細な説明】
【技術分野】
【０００１】
本考案は、商品販売時に商品陳列棚上に商品を陳列するに際して使用される商品陳列用具に関するもので特に商品情報等の表示部分に特徴を有するものである。
【背景技術】
【０００２】
従来の商品陳列用具例えば陳列用トレイは、プラスチック、厚紙、金属等にて形成された底の浅い容器状のもので、その中に販売すべき商品が外から明瞭に見得るように又簡単に取り出し得るように商品陳列棚等に置かれており、更にその前面には差し込みその他の手段にて容易に商品に関する表示を行なったラベル等を取り付け得るような構成のものが一般的である。
【０００３】
又、商品の販売時の広告、商品の特徴等をアピールするために、広告用情報表示（ＰＯＰ）を行なうことがあるが、従来の陳列用トレイ等の陳列用具は商品表示等を行なう場所が限られるため広告のための効果が十分得られない。
【０００４】
又、前面板等の商品の表示、広告用情報表示等を含めて商品陳列のための機能を多く備えていて、これらの機能が最も効果的になし得るようにそれらを容易に変形可能な構造にした商品陳列用具は、殆ど知られていなかった。
【０００５】
この課題を解決した商品陳列用具として本考案の出願人は、例えば次のような陳列用具を開発して下記文献２に記載された内容の実用新案登録を行なった。
【特許文献１】実用新案登録第３１２０７６９号
【特許文献２】実用新案登録第３１１７５３１号    この文献２に記載されている商品陳列用具は、先端に商品落下防止用の板や商品落下防止用の網の設けられた商品陳列棚においても使用可能な商品陳列用具で、しかもこの商品落下防止用の板あるいは商品落下防止用の網を利用して、商品陳列用具が商品陳列棚に確実に設置し得るようにした商品陳列用具である。
【０００６】
即ち、文献２の商品陳列用具は、底板と、この底板に対し垂直に上方に伸びる側板と、側板の先端より斜め下方に伸びる前面板とにて構成され、側板と前面板との間に商品陳列用棚の先端に設けられた商品落下防止用の板又は網が挿入されるように棚板上に配置して用いるもので、側板と前面板との間に商品落下防止用の板又は網を挟むように構成した保持用突出部を設けたことを特徴とする。
【０００７】
又、この文献２の商品陳列用具は、前述のような底板と側板と前面板とにて構成され、前面板より側板側に伸びる保持用突出部を有するものであって、この保持用突出部と側板との間に商品陳列棚の商品落下防止用の板又は網を挿入して挟むことにより商品陳列用具を固定するようにした。
【０００８】
更に、この文献２の商品陳列用具は、前述の通りの底板と側板と前面板とよりなり更に保持用突出部を有する構成のもので、側板の外側の面（前面板とは反対側の面）に仕切板を保持する嵌合用突起を設けたものである。
【０００９】
この文献２の商品陳列用具は、図７、図８に示す通りである。これら図のうち、図７はその一部を示す斜視図、図８は側面図である。
【００１０】
この文献２に記載された商品陳列用具は、商品陳列棚の先端部において用いるもので、図示するように、陳列棚の横方向に長く伸びた長方形状つまり図７における矢印Ａ方向に伸びた長方形状の底板１とこの底板１の先端側（陳列棚の先端側）より上方に垂直に伸びる側板２と、側板２の上側端部より斜め前方に更に下方に曲面状に伸びる前面板３とを一体に形成した構造である。
【００１１】
更に、この商品陳列用具は、前面板３より側板２の方向に突出させ、側板２、前面板３に沿って伸びる（図７の矢印Ａ方向に伸びる）商品陳列棚に取り付け固定するための保持用突出部４を設けたことを特徴とする。
【００１２】
これにより、商品陳列棚の先端部の商品落下防止用の板又は網がこの保持用突起４と側板２との間に挿入されるように陳列棚に設置することにより、この商品陳列用具がずれたり落下することのないように固定する。
【００１３】
又、この商品陳列用具は、側板２の前面板３の側とは反対側（保持用突出部４とは反対側）に図７の矢印Ａ方向に伸びる仕切板取り付け用の嵌合突起５が形成されている。この嵌合突起５を利用して、仕切板が取り付けられる。つまり図９に示すような仕切板１１を嵌合させ配置する。
【００１４】
この図９に示す仕切板１１は、複数の板１２、１３、・・・よりなり、そのうちの第１の板１２の１端に図７の商品陳列用具の側板に設けられた仕切板保持用嵌合突起５に嵌合される嵌合溝１２ａが形状されている。
【００１５】
この仕切板１２の嵌合溝１２ａを利用して、仕切板１１を前記の商品陳列用具の側板２に設けられた嵌合突起５に嵌合させて、底板１と側板２に対して直角に配置する。これにより、商品陳列棚の商品を載せる棚板上をこの仕切板１１にて仕切る。
【００１６】
ここで、嵌合溝１２ａを側板２の嵌合突起５に沿って移動させることにより、必要に応じて適宜位置にて仕切ることができる。
【００１７】
又、仕切板１１は複数の板１２、１３、・・・よりなり、各板は、いずれも図９の接合部２０にて切り離し可能な構成である。したがって、この接合部２０にて切り離すことにより、適宜長さにして使用することが可能である。
【００１８】
尚、図９の仕切板には嵌合溝１２ａのほか嵌合溝１２ｂが設けられている。
以上述べた従来例（文献２）の商品陳列用具は、商品陳列棚の先端部分に設置して用いるもので、その際に商品陳列棚の先端に設けられた商品落下防止用の板又は網を側板２と保持用突出部４との間に挟むようにして設置する。
【００１９】
ここで、この商品陳列棚は、例えばスチロール、ポリプロピレン等の合成樹脂材料にて形成され、したがって、保持用突出部４は、バネ性を持たせることが可能である。このように、保持用突出部４にバネ性を持たせることにより、商品陳列用具がずれる等することなく確実に固定し得る。
【００２０】
又、この商品陳列用具は、側板２の外側に嵌合突起を設けてあり、これにより前述のように仕切板を配置することが可能である。したがって、商品陳列用具に対して直角方向に伸びる仕切板にて適宜に区切り、各区切り内のスペースに例えば異なる商品を載せて販売する等の利用が可能である。
【００２１】
又、前面板３には、商品に関する情報を記載したものを貼り付けて使用すればよい。
【００２２】
又、この前面板の裏面にはカード差しを支持するための突起７が形成されている。図１２はカード差し８の一例である。このカード差し８を前面板の先の部分（下端部分）にカード差しの８ａと８ｂの間に前面板を挿入し前面板の突起７とカード差し８の８ｃとにて支持する。そして、商品に関する各種情報等を印刷したカードを挿入する。
【００２３】
又、文献２に記載されている商品陳列台の他の例として、図１０に示すものがある。この商品陳列用具は、底板１と側板２と前面板３とよりなり、又前面板３にはそれより内側（側板２の側）に伸びる保持用の突出部４が形成されている。この図１０に示す従来の商品陳列用具もその先端に商品落下防止用の板又は網を有するも商品陳列棚に使用するのに適した構成である。
【００２４】
この図１０の商品陳列用具は仕切板固定バネ６を設けたものである。
【００２５】
又、この図１０の商品陳列用具にて用いられる仕切板は、図１１に示す構成である。この仕切板２１は、図９の仕切板１１と同様に複数の板２２、２３、・・・よりなり、第１の仕切板２２の先端下方に図１０に示す実施例２の商品陳列用具の固定バネ６は嵌合する嵌合溝２２ａを設けたものである。この嵌合溝２２ａを固定バネ６に嵌合することにより、仕切板２１を実施例２の底板１に取り付け固定した商品陳列棚を仕切るようにしている。
【００２６】
この文献２に記載されている商品陳列用具は、陳列棚に並べる商品の値段等は、カードをカード差しに配置して表示する。又、商品に関する情報やその他の情報等は、印刷物を前面板の曲面部分に配置することがある。そのためには、前面板の曲面に貼る等の手段にて行なわれる。
【００２７】
ここで、商品に関する情報等の前面板の曲面部ほぼ全体を覆うように配置する印刷物は、前記のように貼り付けにより配置せざるを得ないため、特に印刷物の交換にとって極めて不便であった。
【００２８】
またこの文献２の商品陳列用具は、カード差しを取り付けて前記情報を記載した印刷物であるカードを差し入れて用い得るが、カード差しの保持も不安定であった。
【００２９】
更に、この文献２の商品陳列用具は、商品の落下防止のための板や網を有する棚等に用いるものである。
【００３０】
したがって、前記の板や網を備えていない棚板に使用するためには不便であり、また使用出来ないこともある。
【００３１】
このような課題を解決するために、本考案の出願人は、前面板に保持する商品情報等の印刷物の取付保持が容易でその交換が可能であり、更にカード差しの保持が確実な商品取付用具を提供した。
【００３２】
それは、上記文献１に示す通りで、次に述べる構成の商品陳列用具である。
即ち、上下方向に伸びる側板と、この側板の上端部分より斜め前方および下方に伸びる前面板と、前面板と側板との間に商品落下防止用の板または商品落下防止用の網を挟むようにした保持用突出部を備え、これにより商品陳列用具を保持するようにしたもので、この前面板の上側端部で側板との間および下側端部の内側に夫々形成されたＵ字状の保持部を有することを特徴とする。そして上側端部と下側端部とに形成された二つのＵ字状の保持部を利用して、商品に関する情報等の印刷した印刷物を保持するようにした商品陳列用具である。
【００３３】
この文献１の商品陳列用具は、図３、図４に示す構成である。
【００３４】
この図３に示す商品陳列用具は、図１０等に記載するものと同様図３に示す側面形状が紙面の垂直方向に長く伸びた構成で、例えば、ポリスチレン等の透明な合成樹脂材料にて形成されている。
【００３５】
この図において、２は側板、３は前面板、４は商品陳列棚の先端部分に設けられた商品の落下を防止するための板あるいは網を挟むように構成された保持用突出部であって、これらの構成は、図８、図１０に示す従来例と基本的に同じである。したがって、この文献１の商品陳列用具も、前記の商品の落下を防止するための板または網を側板２と保持用突出部４の間に挿入し挟むことにより、商品陳列棚の先の部分に配置、固定して使用する。
【００３６】
この実施例１の商品陳列用具には、側板２と前面板３の間で両者の結合部分付近にＵ字状保持部３ａと前面板３の先端の内側に同様のＵ字状保持部３ｂが形成されている点で、図８等に示す商品陳列用具と異なっている。
【００３７】
そして、この二つのＵ字状保持部３ａ、３ｂを利用して、前面板の裏側に、例えば商品情報を印刷した印刷物を保持するようにしている。つまり、印刷物をその印刷面が前面板側に向くようにして二つのＵ字状保持部３ａ、３ｂにより保持することにより、透明な前面板３の前方より印刷された内容が明瞭に見得るようにしてある。
【００３８】
また、Ｕ字状保持部のうち下端部のＵ字状保持部３ｂは、図５に示すカード差しの取り付けにも利用し得る。つまり図５（Ａ）に示すカード差し８をＵ字状保持部３ｂが設けられた部分に挿入し、その先端８ｃをＵ字状保持部３ｂに掛けることにより、カード差し８が落下することなく確実に保持し得る。そして、このカード差しと前面板３との間にカードを差し込んで使用する。
【００３９】
このように、文献１の実施例１の商品陳列用具は前面板３の下端部のＵ字状保持部３ｂが、印刷物の保持と共にカード差しの保持にも使用し得る。
【００４０】
又、図５の（Ｂ）にて示すカード差しは、（Ａ）のカード差しと異なり、８ｃの面に内側に突出する凸部８ｄを有している。この凸部８ｄを有することにより、このカード差しを取り付けた時、Ｕ字状保持部３ｂを挟むことになる。これによりカード差しを一層確実に固定し得る。
【００４１】
更に、この文献１の実施例１の商品陳列用具は、側板２の背面側にも他の第３のＵ字状保持部３ｃが形成されている。
【００４２】
この第３のＵ字状保持部３ｃは、商品陳列棚の先端部分に、商品落下を防止するための板あるいは網が設けられていない場合に使用するためのものである。    即ち、図６に示すようなＬ字状の商品陳列用具を保持するための商品陳列用具の支持台９を、陳列棚上に置き、その先端の取り付け部９ａに本考案の商品陳列用具の第３のＵ字状保持部３ｃを嵌合させることにより取り付ける。
【００４３】
これにより、本考案の商品陳列用具は、商品の落下を防止するための板あるいは網のいずれも設けられていない商品陳列棚での使用が可能である。
【００４４】
この図６に示す支持台９の底板９ｂは、本考案の商品陳列用具を取り付け保持した時に転倒することのない適宜な長さにしてある。
【００４５】
文献１の実施例２の商品陳列用具は、図４に示す通りである。
【００４６】
この実施例２は、第３のＵ字状保持部３ｃが側板２の内側（側板２の前面板側）に設けられている点で実施例１と異なる。そのため、陳列棚の商品の落下を防止するための板あるいは網を備えた商品陳列棚に、この実施例２の商品陳列用具を用いる場合、保持用突出部４とＵ字状保持部３ｃとの間にて商品の落下を防止するための板あるいは網を挟むようにして商品陳列用具を固定する点で、実施例１と異なる。しかし、その他の点では実施例１と実質上同じ構成である。
【００４７】
この文献１に示す従来の商品陳列用具は、商品等の情報を表示するためのカードを保持するための保持部（図３、４のＵ字状保持部３ａ，３ｂ）が、前面板の裏面側に設けられているため、カードを配置、取り外しあるいは交換が不便であるという問題がある。
【００４８】
又、図４に示すようなカード差し用の部品８と前面板３の表面との間にカードを挿入、配置する手段による場合、別部品（カード差し用の部品８）が必要となり、又それを前面板に取り付けた上で、前記カード差し用の部品内にカードを配置するため部品点数が多く、取り付けが面倒である等の欠点がある。
【考案の開示】
【考案が解決しようとする課題】
【００４９】
本考案は、前面板の表面側にカードを配置し得るもので、しかも部品点数を多くすることなしに実現し得る商品陳列用具を提供するものである。
【課題を解決するための手段】
【００５０】
本考案の商品陳列用具は、上下方向に伸びる側板と、この側板の上側端部より斜め前方および下方に伸びる前面板とよりなり、前面板と側板との間に陳列棚の先端に設けられている商品が落下するのを防止する板又は網を挟むように構成した保持用突出部を備え、前面板の下側端部より、前面板の表面の上方向に向けて伸びた前面板を含めて全体としてＵ字状をなす保持部（カード差し）を一体に形成したことを特徴とする。
【００５１】
本考案の商品陳列用具は、陳列棚に商品落下防止用の板や網が設けられている場合も使用し得るものであって、しかも、前面板の下側端部に設けられているＵ字状の保持部（カード差し）を利用して、商品陳列棚に置く商品の情報等を印刷したカードを挿入保持するようにしたものである。
【００５２】
このようなカード差しが前面板の表面に設けられているため、カードの挿入やカードの交換が極めて簡単に行ない得る。
【００５３】
前記の通りの構成の本考案の商品陳列用具において、前面板は、前方に向けて凸の面又は平面であることが望ましい。
【００５４】
又、本考案の商品陳列用具において、前面板の上側端部の表側にもＵ字状の保持部を一体に形成してもよい。この場合、この上側端部と下側端部の夫々に形成されたＵ字状の保持部を利用してカードを取り付け保持することが可能になる。つまり、カードの上方を上側端部のＵ字状の保持部、カードの下方を下側端部のＵ字状の保持部にて保持する。
【００５５】
以上のように、本考案の商品陳列用具は、前面板の表側にカードを保持するようにした点を特徴とする。
【００５６】
したがって、上記特徴部分である、表面側にＵ字状の保持部を設けた点以外の構造は、前記文献１又は文献２に示す構成を採用することが可能である。
【考案の効果】
【００５７】
本考案の商品陳列用具は、陳列する商品に関する情報等を印刷したカードを前面板の表面上に配置し得るもので、表示効果が極めて大である。
【００５８】
又、カード差し等の他の部品を使用することなしにカードの保持が可能であり、しかも前面板の表面側にてカードを保持し得るようにしたことから、カードの取り付けや交換等を極めて簡単に行ない得る。
【考案を実施するための最良の形態】
【００５９】
次ぎに本考案の実施例について述べる。
【実施例１】
【００６０】
本考案の商品陳列用具の実施例１は、図１に示すような構成である。この図１は、側面図（一方の端部より見た図）であって、例えば図７に示す従来例のように、その矢印Ａ方向に長く伸びる形状である。
【００６１】
この図１において、２は側面板、３は前面板、４は例えば商品陳列棚の先端部分に設けられている商品落下防止用の板あるいは商品落下防止用の網を側面板２と共に保持するための保持用の突出部である。又前面板３の上側端部と下側端部には、その裏側に夫々Ｕ字状保持部３ａ，３ｂが設けられている。更に、前面板３の上側端部には、側面板２とにて構成される他のＵ字状の保持部３ｃが形成されている。
【００６２】
これらの構成は、図３に示す文献１に記載されている実施例の商品陳列用具と実質上同じである。
【００６３】
本考案の商品陳列用具は、図１に示すように前面板３の下側端部にＵ字状の保持部３ｂとは反対側（表面側）に他のＵ字状の保持部５０を設けたことを特徴とする。
【００６４】
このＵ字状の保持部（カード差し）５０にカードを挿入して使用する。
【００６５】
このＵ字状の保持部（カード差し）５０を設けたことにより、前面よりカードを挿入することが可能であり、カードの取り付け交換にとって極めて便利な構成である。
【００６６】
このＵ字状の保持部５０には、その先端部分に図示するような凸部５１が形成されており、これによりカードの保持が確実になり、使用中にカードが抜け落ちて紛失することがない。
【００６７】
又、図示するように、他の凸部５２を形成することにより、二つの凸部にてカードを固定することにより、カードの保持が一層確実になる。
【００６８】
尚、側板２と保持用突出部４を利用しての商品落下防止用の板や商品落下防止用の網を挟んで商品陳列棚の先端部分に固定する点、又、商品落下防止用の板や商品落下防止用の網等が設けられていない商品陳列棚に用いる場合、図６に示すような支持台９を商品陳列棚に設置した上でこの支持台９の先端にＵ字状の保持部３ｃを利用して保持する点、更にＵ字状の保持部３ａ，３ｂを利用して前面板３の裏面にカードを取り付ける点等は、図３に示す文献１の商品陳列用具と同様である。
【実施例２】
【００６９】
本考案の商品陳列用具の実施例２は、図２に示すような端面の形状である。
この実施例２は、前面板３が凸面ではなく平面である点、前面板３の上側端部の表面側にＵ字状の保持部６０を形成し、二つのＵ字状の保持部５０、６０を用いてカードを前面板３の表側に配置するようにした点で、実施例１と異なる。又、その他の点では、実施例１と実質上同じ構成である。
【００７０】
本考案の上記実施例１および実施例２の商品陳列用具は、その前面板３の表面側にＵ字状の保持部５０を設けた点あるいはＵ字状の保持部５０およびＵ字状の保持部６０を設けた点を特徴とする。
【００７１】
したがって、その他の構成に関しては、例えば文献１又は文献２に記載されているものをそのまま採用することが可能である。
【００７２】
つまり、図７、図８に記載するものや図１０に記載するものに、その前面板３の表面側にＵ字状の保持部５０を設けたものや、二つのＵ字状の保持部５０、６０を設けたものも本考案に含まれる。
【産業上の利用可能性】
【００７３】
本考案の商品陳列用具は、商品陳列棚上に商品を陳列する際に用いるものであって、特に陳列する商品の情報を明確に表示し伝達する上で極めて有効である。
【図面の簡単な説明】
【００７４】
【図１】本考案の商品陳列用具の実施例１の側面図
【図２】本考案の商品陳列用具の実施例２の側面図
【図３】特許文献１の商品陳列用具の実施例１の側面図
【図４】特許文献１の商品陳列用具の実施例２の側面図
【図５】特許文献１の商品陳列用具で用いるカード差しの例を示す図
【図６】特許文献１の商品陳列用具で用いる商品陳列用具を保持、固定する支持台の一例を示す図
【図７】特許文献２に記載されている従来の商品陳列用具の実施例１の斜視図
【図８】図７の従来例の側面図
【図９】図７の従来例にて用いられる仕切板を示す図
【図１０】特許文献２に記載されている従来の商品陳列用具の実施例２の側面図
【図１１】図１０の従来例にて用いられる仕切板を示す図
【図１２】商品陳列用具で用いるカード差しの一例を示す図
【符号の説明】
【００７５】
２    側板
３    前面板
４    保持用突出部
５０、６０  Ｕ字状の保持部
【図１】
0003125485.tif 000003
【図２】
0003125485.tif 000004
【図３】
0003125485.tif 000005
【図４】
0003125485.tif 000006
【図５】
0003125485.tif 000007
【図６】
0003125485.tif 000008
【図７】
0003125485.tif 000009
【図８】
0003125485.tif 000010
【図９】
0003125485.tif 000011
【図１０】
0003125485.tif 000012
【図１１】
0003125485.tif 000013
【図１２】
0003125485.tif 000014